(57)【要約】【課題】正規のメンテナンスが行いやすく、かつ防犯性に優れた基板ケースユニットを提供する。【解決手段】パチンコ機１において、基板ケースユニット１００は、遊技機の制御を行うメイン基板３０を収容するケースとして構成されており、メイン基板３０を包囲するケース部材１２０と保持部材１１０とを備えている。ケース部材１２０及び保持部材１１０には、破断ねじ又はワンウェイねじからなるねじ部材１４０によって連結される破断除去可能な第１連結部１１１ａ，第２連結部１２１ａが形成されている。また、ケース部材１２０及び保持部材１１０には、予備ねじによって互いに連結可能となるように予備連結部１１１ｂ〜１１１ｄ、１２１ｂ〜１２１ｄが形成されており、さらに、保持部材１１０におけるベース部７０と対向する対向壁面１１５には、予備ねじ２４０を仮保持する仮保持部１３０が形成されている。【選択図】図６
2007252802.tif 000002
【特許請求の範囲】
【請求項１】
遊技機の制御を行う制御基板を収容する基板ケースユニットであって、
第１ケース及び第２ケースを備えると共に内部に前記制御基板を収容する構成をなし、かつ前記第１ケース側に設けられる第１封止部と、前記第２ケース側に設けられる第２封止部とを連結する封止部材を有し、その封止部材によって前記第１封止部と前記第２封止部とが連結されている場合に前記制御基板を取り出すときには当該ケース部材を破壊するか或いは所定の部位を破断することを必要とするケース部材と、
前記ケース部材を保持する保持部材と、
前記ケース部材と前記保持部材とにおいてそれぞれ形成されると共に、連結部材によって互いに連結され、少なくともいずれか一方が破断されることにより前記連結部材による連結が解除可能となる一対の連結部と、
前記ケース部材と前記保持部材とにおいてそれぞれ前記連結部とは別位置に形成されると共に、予備連結部材によって互いに連結可能とされ、少なくともいずれか一方が破断されることにより前記予備連結部材による連結が解除可能となる一対の予備連結部と、
前記保持部材において前記予備連結部材を保持するように形成される仮保持部と、
を備えたことを特徴とする遊技機の基板ケースユニット。
【請求項２】
前記保持部材は、所定のベース部材に対して開閉可能に構成されており、
前記仮保持部は、前記保持部材における閉塞時に前記ベース部材と対向する対向壁面に形成されていることを特徴とする請求項１に記載の遊技機の基板ケースユニット。
【請求項３】
前記仮保持部は、前記保持部材において前記ベース部材の外面から所定距離隔てて配されており、
前記予備連結部材は、ねじ部を前記ベース部材の外面側に延出させた状態で前記仮保持されることを特徴とする請求項２に記載の遊技機の基板ケースユニット。
【請求項４】
前記仮保持部は、前記保持部材の壁面に形成された孔部と、前記保持部材の壁面において前記孔部の中心側に向かって片持ち状に形成される複数の弾性片とを備え、前記複数の弾性片と前記予備連結部材とを係合させることにより当該予備連結部材を仮保持することを特徴とする請求項１ないし請求項３のいずれかに記載の遊技機の基板ケースユニット。
【請求項５】
前記予備連結部材は破断ねじからなり、
前記破断ねじは、一端側に工具係合部が形成されると共に、他端側にねじ溝が形成された締結部が設けられ、前記工具係合部と前記締結部とが、それらよりも細径の破断部によって連結されるものであり、
前記仮保持部は、先端が前記工具係合部と前記締結部との間に介在して前記破断部と対向して配置される複数の弾性片を有することを特徴とする請求項１ないし請求項３のいずれかに記載の遊技機の基板ケースユニット。
【請求項６】
前記仮保持部は、
前記工具係合部の外周面と対向して配置され、前記工具係合部の外周面を支持可能な第１ガイド壁と、
前記締結部の頭部の外周面と対向して配置され、前記頭部の外周面を支持可能な第２ガイド壁と、
を有することを特徴とする請求項５に記載の遊技機の基板ケースユニット。
【請求項７】
前記第１ガイド壁は、所定方向に突出するリブ状に形成されると共に突出方向視した外形が折れ曲がり形態をなし、その突出方向視した外形の角部が前記工具係合部の外周面と対向して配されていることを特徴とする請求項６に記載の遊技機の基板ケースユニット。
【請求項８】
複数の前記第１ガイド壁が、前記工具係合部よりも突出する形態で、かつ当該工具係合部を囲むように設けられていることを特徴とする請求項６又は請求項７に記載の遊技機の基板ケースユニット。
【請求項９】
請求項１ないし請求項８のいずれかに記載の遊技機の基板ケースユニットを備えたことを特徴とする遊技機。
【請求項１０】
制御基板と、前記制御基板を収容する基板ケースユニットとを備えた遊技機であって、
前記基板ケースユニットは、
第１ケース及び第２ケースを備えると共に内部に前記制御基板を収容する構成をなし、かつ前記第１ケース側に設けられる第１封止部と、前記第２ケース側に設けられる第２封止部とを連結する封止部材を有し、その封止部材によって前記第１封止部と前記第２封止部とが連結されている場合に前記回路基板を取り出すときには当該ケース部材を破壊するか或いは所定の部位を破断することを必要とするケース部材と、
前記ケース部材を保持する保持部材と、
前記ケース部材と前記保持部材とにおいてそれぞれ形成されると共に、連結部材によって互いに連結され、少なくともいずれか一方が破断されることにより前記連結部材による連結が解除可能となる一対の連結部と、
前記ケース部材と前記保持部材とにおいてそれぞれ前記連結部とは別位置に形成されると共に、予備連結部材によって互いに連結可能とされ、少なくともいずれか一方が破断されることにより前記予備連結部材による連結が解除可能となる一対の予備連結部と、
前記保持部材において前記予備連結部材を保持するように形成される仮保持部と、
を備え、
前記ケース部材と前記保持部材とが前記一対の連結部において前記連結部材により互いに連結されており、かつ前記予備連結部材が前記仮保持部に保持されていることを特徴とする遊技機。
【発明の詳細な説明】
【技術分野】
【０００１】
本発明は、遊技機の基板ケースユニット及び遊技機に関する。
【背景技術】
【０００２】
従来より、制御基板を備えた遊技機が提供されており、この種の遊技機では制御基板をケースに収容した状態で遊技機裏面側に配置する構成が一般的である。制御基板を用いることにより、各種制御が可能となり、多様な遊技を創出できることとなる。このような制御基板は、不正操作（メモリの不正取り替え、或いは制御基板自体の不正取り替え）の対象となりやすいため、封印紙の貼着等により容易に不正操作が行われないように対策が講じられている。
【特許文献１】特開平９−２７６５２１号公報
【発明の開示】
【発明が解決しようとする課題】
【０００３】
しかしながら、封印紙を傷つけることなく、かつ封印紙が貼ってあった痕跡を残すことなく剥し、不正操作を行った後、同じ封印紙を貼り付けるという不正操作も想定されるため、特許文献１の基板ケースユニットでは、破断ねじを用いて２つのカバー体を固定するようにしている。この構成によれば、破断ねじを工具などによって取り外すことが困難となるため、破断ねじを含むケース一部（止着部材）を除去しない限りケースを開放することができなくなる。従って、ケース自体が開放しにくくなり、万が一除去操作によって開放されたとしても、その痕跡が明確に残るため、不正行為の防止或いは早期発見が可能となる。
【０００４】
一方、上記のような基板ケースユニットは、点検作業などの正規のメンテナンスを行う場合においては適宜開放する必要があるため、完全に開放不能とするのではなく、一定条件下で開放可能とし、かつ再び閉塞できるようにしておくことが望ましい。しかしながら、極めて簡易に開放でき、かつ開閉した痕跡が残らないような構成であると防犯上好ましくない。
【０００５】
本発明は上記のような事情に基づいてなされたものであって、正規のメンテナンスが行いやすく、かつ防犯性に優れた基板ケースユニットを提供することを目的とする。
【課題を解決するための手段】
【０００６】
上記の目的を達成するための手段として、請求項１の発明は、
遊技機の制御を行う制御基板を収容する基板ケースユニットであって、
第１ケース及び第２ケースを備えると共に内部に前記制御基板を収容する構成をなし、かつ前記第１ケース側に設けられる第１封止部と、前記第２ケース側に設けられる第２封止部とを連結する封止部材を有し、その封止部材によって前記第１封止部と前記第２封止部とが連結されている場合に前記制御基板を取り出すときには当該ケース部材を破壊するか或いは所定の部位を破断することを必要とするケース部材と、
前記ケース部材を保持する保持部材と、
前記ケース部材と前記保持部材とにおいてそれぞれ形成されると共に、連結部材によって互いに連結され、少なくともいずれか一方が破断されることにより前記連結部材による連結が解除可能となる一対の連結部と、
前記ケース部材と前記保持部材とにおいてそれぞれ前記連結部とは別位置に形成されると共に、予備連結部材によって互いに連結可能とされ、少なくともいずれか一方が破断されることにより前記予備連結部材による連結が解除可能となる一対の予備連結部と、
前記保持部材において前記予備連結部材を保持するように形成される仮保持部と、
を備えたことを特徴とする。
なお、本発明でいう「破断」とは、「切断」や「破壊」などを含む概念であり、所定部位の連続状態が解除されればいずれも「破断」の概念に含まれるものとする。例えば、工具によってある部分を切断する場合は勿論この「破断」の範疇に含まれるが、工具や手操作によってある部分を割ったり、裂け目を入れたり、破壊する場合などはすべてこの「破断」の範疇に含まれる。
【０００７】
請求項２の発明は、請求項１に記載の遊技機の基板ケースユニットにおいて、
前記保持部材は、所定のベース部材に対して開閉可能に構成されており、
前記仮保持部は、前記保持部材における閉塞時に前記ベース部材と対向する対向壁面に形成されていることを特徴とする。
【０００８】
請求項３の発明は、請求項２に記載の遊技機の基板ケースユニットにおいて、
前記仮保持部は、前記保持部材において前記ベース部材の外面から所定距離隔てて配されており、
前記予備連結部材は、ねじ部を前記ベース部材の外面側に延出させた状態で前記仮保持されることを特徴とする。
【０００９】
請求項４の発明は、請求項１ないし請求項３のいずれかに記載の遊技機の基板ケースユニットにおいて、
前記仮保持部は、前記保持部材の壁面に形成された孔部と、前記保持部材の壁面において前記孔部の中心側に向かって片持ち状に形成される複数の弾性片とを備え、前記複数の弾性片と前記予備連結部材とを係合させることにより当該予備連結部材を仮保持することを特徴とする。
【００１０】
請求項５の発明は、請求項１ないし請求項３のいずれかに記載の遊技機の基板ケースユニットにおいて、
前記予備ねじは破断ねじからなり、
前記予備連結部材は破断ねじからなり、
前記破断ねじは、一端側に工具係合部が形成されると共に、他端側にねじ溝が形成された締結部が設けられ、前記工具係合部と前記締結部とが、それらよりも細径の破断部によって連結されるものであり、
前記仮保持部は、先端が前記工具係合部と前記締結部との間に介在して前記破断部と対向して配置される複数の弾性片を有することを特徴とする。
【００１１】
請求項６の発明は、請求項５に記載の遊技機の基板ケースユニットにおいて、
前記仮保持部は、
前記工具係合部の外周面と対向して配置され、前記工具係合部の外周面を支持可能な第１ガイド壁と、
前記締結部の頭部の外周面と対向して配置され、前記頭部の外周面を支持可能な第２ガイド壁と、
を有することを特徴とする。
【００１２】
請求項７の発明は、請求項６に記載の基板ケースユニットにおいて、
前記第１ガイド壁は、所定方向に突出するリブ状に形成されると共に突出方向視した外形が折れ曲がり形態をなし、その突出方向視した外形の角部が前記工具係合部の外周面と対向して配されていることを特徴とする。
【００１３】
請求項８の発明は、請求項６又は請求項７に記載の基板ケースユニットにおいて、
複数の前記第１ガイド壁が、前記工具係合部よりも突出する形態で、かつ当該工具係合部を囲むように設けられていることを特徴とする。
【００１４】
請求項９の発明は、請求項１ないし請求項８のいずれかに記載の基板ケースユニットを備えたことを特徴とする遊技機として構成される。
【００１５】
請求項１０の発明は、制御基板と、前記制御基板を収容する基板ケースユニットとを備えた遊技機であって、
前記基板ケースユニットは、
第１ケース及び第２ケースを備えると共に内部に前記制御基板を収容する構成をなし、かつ前記第１ケース側に設けられる第１封止部と、前記第２ケース側に設けられる第２封止部とを連結する封止部材を有し、その封止部材によって前記第１封止部と前記第２封止部とが連結されている場合に前記回路基板を取り出すときには当該ケース部材を破壊するか或いは所定の部位を破断することを必要とするケース部材と、
前記ケース部材を保持する保持部材と、
前記ケース部材と前記保持部材とにおいてそれぞれ形成されると共に、連結部材によって互いに連結され、少なくともいずれか一方が破断されることにより前記連結部材による連結が解除可能となる一対の連結部と、
前記ケース部材と前記保持部材とにおいてそれぞれ前記連結部とは別位置に形成されると共に、予備連結部材によって互いに連結可能とされ、少なくともいずれか一方が破断されることにより前記予備連結部材による連結が解除可能となる一対の予備連結部と、
前記保持部材において前記予備連結部材を保持するように形成される仮保持部と、
を備え、
前記ケース部材と前記保持部材とが前記一対の連結部において前記連結部材により互いに連結されており、かつ前記予備連結部材が前記仮保持部に保持されていることを特徴とする。
【発明の効果】
【００１６】
＜請求項１、１０の発明＞
請求項１、１０の構成によれば、連結部が破断除去可能とされているため、点検作業等の必要時に連結部材による固定を解除してケース内を開放でき、かつその開放した痕跡が残るようになる。また、再び閉塞する際には、予備連結部材にアクセスしやすく、かつ予備連結部材を予備連結部に固定しさえすれば容易に閉塞状態とすることができる。即ち、正規なメンテナンスが行いやすく、かつ防犯性に優れた構成を実現できることとなる。
【００１７】
＜請求項２の発明＞
請求項２の構成によれば、保持部材が、所定のベース部材に対して開閉可能に構成されており、仮保持部が、保持部材における閉塞時にベース部材と対向する対向壁面に形成されているため、通常時（即ち保持部材が閉塞される閉塞時）に仮保持部及び予備連結部材が邪魔になることがなく、予備連結部材を用いた閉塞作業をする際にはケース部材を開閉することにより仮保持部に容易にアクセスできるようになる。
【００１８】
＜請求項３の発明＞
請求項３の構成によれば、保持部材において、仮保持部は、ベース部材の外面から所定距離隔てて配されるため、仮保持部とベース部材の外面との間に予備連結部材のねじ部を配置するスペースが形成されることとなる。そして、予備連結部材はねじ部をベース部材の外面側に延出させた状態で仮保持されるため、第１カバー部を開放した後、予備連結部材を掴みやすくなり、作業性が高まる。
【００１９】
＜請求項４の発明＞
請求項４の構成によれば、保持部材の壁面の一部によって予備連結部材を保持する構成を好適に実現できるため、装置構成の簡易化、コスト低減を図ることができる。
【００２０】
＜請求項５の発明＞
請求項５の構成によれば、予備連結部材が破断ねじによって構成され、仮保持部は、先端が工具係合部と締結部との間に介在して破断部と対向して配置される複数の弾性片によって構成されている。従って、予備連結部材を安定的に仮保持しつつ適度な力によって仮保持を解除できる好適例となる。
【００２１】
＜請求項６の発明＞
請求項６の構成によれば、仮保持部において、工具係合部の外周面を支持可能な第１ガイド壁と、締結部の頭部の外周面を支持可能な第２ガイド壁とが設けられている。従って、予備連結部材の揺動を軽減ないし防止でき、揺動に起因する不具合（予備連結部材の離脱など）を効果的に防止できる。
【００２２】
＜請求項７の発明＞
請求項７の構成によれば、第１ガイド壁に強度を持たせることができると共に、予備連結部材が傾斜しすぎることを安定的に抑制でき、保持状態を好適に維持できる構成となる。
【００２３】
＜請求項８の発明＞
請求項８の構成によれば、予備連結部材に対する工具係合部側からの接触を第１ガイド壁によって効果的に防止でき、保持状態を安定的に維持できる構成となる。
【００２４】
＜請求項９の発明＞
請求項９の構成によれば、請求項１ないし請求項８のいずれかに記載の基板ケースユニットと同様の効果を奏する遊技機となる。
【発明を実施するための最良の形態】
【００２５】
＜実施形態１＞
本発明の実施形態１を図面を参照しつつ説明する。
図１は、実施形態１に係る遊技機を概念的に例示する正面図であり、図２はその遊技機の遊技盤構成を概念的に例示する正面図である。また、図３は実施形態１に係る遊技機の電気的構成を例示するブロック図である。
【００２６】
１．全体概要
本実施形態に係る遊技機の一例たるパチンコ機１は、例えば遊技ホール（遊技場）に設置されたパチンコ島台のカウンタ台の上部にて複数横方向に並べられて設けられるものである。パチンコ機１は、図１に示すように、前部には前枠２が設けられ、さらにその前枠２にガラス扉枠として構成される扉部３が取付けられている。扉部３は、縦軸の回動軸を有するヒンジ部８２，８２により遊技機本体１ａ（前枠２及び機枠７１（図４）を備えてなる本体部分）に対し開閉可能に支持され、かつガラスが嵌め込まれた樹脂あるいは金属材料等によって環状の枠体として構成されるガラス保持枠（図示略）とを備えている。
【００２７】
ここでは環状に構成された樹脂製のガラス保持枠に二枚のガラス（前方ガラス５２、及びその後方に配置される後方ガラス（図１では図示略））が嵌め込まれてガラスユニット５０が構成されており、このガラスユニット５０は、扉部３の本体部分（扉部３におけるガラスユニット５０を除いた部分）に着脱可能に取り付けられている。また、前枠２（本体枠）もヒンジ８１によって機枠７１に対して開閉可能に取り付けられている。
【００２８】
扉部３の後方には、図２に示す板状（例えば、木板、樹脂板等を主体として構成される板状）の遊技盤７が配置されている。図２に示すように、遊技盤７は仕切部に相当するレール２２によって略環状に囲まれた略円形の遊技領域９０ａを有し、その遊技領域９０ａには第１種始動口４、遊技盤表示装置（以下、単に表示装置ともいう）５及び大入賞口６が設けられている。
【００２９】
第１種始動口４は遊技球の通路を備え、その通路入口に羽根４ａが開閉可能に支持されている。表示装置５は、ここでは図柄を動的に表示する図柄表示装置として構成されている。また、この表示装置５は、遊技盤７に装着される装飾枠４０に固定されている。なお、図２に示すように、遊技盤７上にはレール２２に隣接して遊技球の衝突を受けるゴム製の衝突受け部６５も設けられている。
【００３０】
図１に示すように、扉部３の下部には、賞球が払い出される上受け皿３ａが装着されている。また、前枠２の窓孔より下方には下受け皿２ａが装着されている。下受け皿２ａは、前記上受け皿３ａに入りきらない賞球や、上受け皿３ａから球抜きした抜き球や、或いはファウル球等の余剰球を、余剰球出口から排出させて貯留させるものである。
【００３１】
前枠２における下受け皿２ａの右側方には遊技球を発射するための発射ハンドル１７が回動操作可能に装着されている。発射ハンドル１７に対応する前枠２の裏側には駆動手段としてのモータ（図示せず）が装着されており、発射ハンドル１７の回動操作によってモータか回動され、これにより打球杆（図示せず）が間欠動作されるとともに、前記発射ハンドル１７の回動角度に応じた弾発力に調節される。従って、前記モータ及び打球杆等によって球発射装置が構成されている。
【００３２】
また、図２に示すように、表示装置５は、第１種始動口４の上方に設けられ、例えば液晶ディスプレイ（ＬＣＤ）からなる画面５ａを備えている。画面５ａには多種類の画像が表示されるが、その１つとして、図２に概念的に示されるような上図柄列８、中図柄列９及び下図柄列１０が表示される。図柄列の数は前述したもの（３列）に限られず、１列、２列、４列以上であってもよい。各図柄列８乃至１０は、数字、記号等からなる複数の図柄によって構成されている。
【００３３】
図２に示すように、大入賞口６は第１種始動口４の下方に設けられており、１つのＶゾーン１１、２つの通路１２，１３及びシャッタ１４を備えている。シャッタ１４は大入賞口用ソレノイド１５（以下、単に「ソレノイド１５」ともいう）により作動させられ、Ｖゾーン１１及び通路１２，１３の各入口を開閉する。
【００３４】
図２に示すように、遊技盤７には、始動口用スイッチ１８、Ｖゾーン用スイッチ１９及びカウントスイッチ２０が取付けられている。始動口用スイッチ１８は、遊技球Ｂの第１種始動口４への入賞を検出する。Ｖゾーン用スイッチ１９は遊技球ＢのＶゾーン１１への入賞を検出し、カウントスイッチ２０は遊技球Ｂの大入賞口６への入賞を検出する。また、各スイッチ１８乃至２０の検出結果に基づき保留ランプ３９（図５）、羽根駆動部４ｂ（図５）、ソレノイド１５及び遊技盤表示装置５（単に表示装置５とも称する）をそれぞれ制御するために、制御装置２１が設けられている。なお、制御装置２１は、特別遊技状態を発生させる遊技状態発生手段として機能する。
【００３５】
図３に示すように、制御装置２１は、読出し專用メモリ（ＲＯＭ３２）、中央処理装置（ＣＰＵ３１）、ランダムアクセスメモリ（ＲＡＭ３３）等を備えている。また、クロック回路３４、バスライン３５、入出力処理回路３６なども設けられている。ＲＯＭ３２は所定の制御プログラムや初期データを予め記憶しており、ＣＰＵ３１はＲＯＭ３２の制御プログラム等に従って各種演算処理を実行する機能等を有している。ＲＡＭ３３はＣＰＵ３１による演算結果を一時的に記憶する。
【００３６】
より詳細には、制御装置２１は、図３のように、パチンコ機１の主制御を行うメイン基板３０と、当該メイン基板３０からの信号によって各部を制御するための表示制御基板（表示制御装置１０１を構成する基板）、音量調整基板（音声用制御装置４１を構成する基板）、ＬＥＤ基板（図示略）、払出し制御基板（図示略）等の各種のサブ基板とを備えて構成されており、不正信号がメイン基板３０へ入力されることを防止するために、信号の伝送方向は、メイン基板３０からサブ基板への一方向のみとなっている。本実施形態では、メイン基板３０が制御基板に相当している。
【００３７】
また、図３に示す表示制御装置１０１は、遊技盤表示装置５を表示制御可能に構成されており、メイン基板３０からの信号に基づく画像を各表示装置の表示部に表示させるように制御を行う。表示制御装置１０１には、図示しないＲＯＭ、ＲＡＭ、ＣＰＵなどが設けられており、メイン基板３０からの制御信号に応じた画像を表示させるように構成されている。
【００３８】
また、ＣＰＵ３１による制御の１つとして、大当り遊技状態の発生確率を条件に応じて変動させる、いわゆる確率変動がある。具体的には、１／３００程度の低確率で大当り遊技状態を発生させる低確率モードと、その約５倍である１／６０程度の高確率で大当り遊技状態を発生させる高確率モードとが用意されており、大当り図柄の種類に応じて確率モードが切替えられる。ここでは、一例として、大当り図柄が、予め定められた特別図柄（例えば奇数図柄）であると高確率モードに設定され、予め定められた通常図柄（例えば偶数図柄）であると低確率モードに設定されるようになっている。なお、低確率モードでの発生確率に対する高確率モードでの発生確率の倍数は、前述した値（約５）以外の値であってもよい。
【００３９】
このように、制御基板たるメイン基板３０では、大当り遊技状態の発生確率を変動可能とされており、遊技の内容を、通常の遊技状態から、遊技者に有利となる状態へと変更できるように構成されている。
【００４０】
２．裏側構成
次に、遊技機裏側構成の概要について図４、図５を参照して説明する。
図４は、実施形態１のパチンコ機１の裏側構成を概念的に例示する斜視図であり、図５は、ケース部材１２０をベース部材７０に取り付ける前段階を説明する説明図である。
図４において、７１はパチンコ機１における機枠であり、該機枠７１の前面に上述の前枠２が開閉自在に取付けられている。該前枠２の裏面側には遊技盤７が取付けられており、この遊技盤７の盤面を覆うように扉部３が開閉自在に装着されている。
【００４１】
遊技盤７の裏面には入賞球集合パネルが設けられ、この入賞球集合パネルがベース部材７０に一体化されている（即ち、入賞球集合パネルはベース部材７０の一部として構成されている）。ベース部材７０は、遊技盤７に装着されるいわゆるセット板とも称されるものであり、このベース部材７０の後方には、遊技内容を制御する回路基板が収納される後述の基板ボックス１００が配置されている。なお、ベース部材７０は、ヒンジ具によって開閉自在に構成されていてもよい。
【００４２】
ベース部材７０は、合成樹脂により形成されており、上方にはパチンコ球を貯留する貯留タンク（図示略）が取付けられる。また、貯留タンクの下方にはパチンコ球を整列して導き出すタンクレール（図示略）が設けられ、その下流端は、屈曲誘導樋（図示略）を介して所定数のパチンコ球の払い出しを制御する払出制御部（図示略）などが接続される。なお、貯留タンク、タンクレール、屈曲誘導樋、払出制御部は、公知の構成が用いられており、図４、図５ではこれらを省略して示している。
【００４３】
３．特徴構成
次に、本発明の特徴部分たる基板ケースユニット１００について説明する。
図６は、ケース部材１２０と保持部材１１０とを結合する結合前の状態を示す斜視図であり、図７は、ケース部材１２０と保持部材１１０を結合した状態を示す斜視図である。図８は、ケース部材１２０及び保持部材１１０を結合しつつねじ部材１４０（ねじ部材１４０は、連結部材の一例に相当する）でねじ止めした状態を示す斜視図である。図９は、図７の状態において要部を拡大して示す拡大図である。図１０は、図８の状態において要部を拡大して示す拡大図と、連結部付近を更に拡大して示す拡大図である。
【００４４】
また、図１１は、ねじ部材１４０によってねじ止めした後、工具係合部１４１を破断した状態を示す斜視図である。図１２は、基板ケースユニット１００をベース部材７０に対して開いた状態を示す斜視図である。図１３は、図１２の状態を図１２とは異なる方向から示す斜視図である。図１４は、図１３の状態から、基板ケースユニット１００を分離させた状態を概念的に示す斜視図である。図１５は、図１３の状態から、予備ねじを抜き取った状態を概念的に示す斜視図である。図１６は、仮保持部を拡大して示す斜視図である。図１７は、仮保持部を基板ケースユニット１００側から見た図である。
【００４５】
図６に示すように、基板ケースユニット１００は、パチンコ機１の制御を行うメイン基板３０（メイン基板３０は制御基板に相当する）を収容するケースとして構成されており、図３に示すメイン基板３０を包囲するケース部材１２０と、このケース部材１２０を保持する保持部材１１０によって構成されている。ケース部材１２０は、第１ケース１２０ａ及び第２ケース１２０ｂを備えると共に内部に制御基板（メイン基板３０）を収容する構成をなし、かつ第１ケース１２０ａ側に設けられる第１封止部１２９ａと、第２ケース１２０ｂ側に設けられる第２封止部１２９ｂとを連結する封止部材１２８を有し、その封止部材１２８によって第１封止部１２９ａと第２封止部１２９ｂとが連結されている場合に制御基板（メイン基板３０）を取り出すときには当該ケース部材１２０を破壊するか或いは所定の部位（封止部材１２８近傍の部位）を切断することを必要とする構成をなしている。
【００４６】
封止部材１２８は、例えば金属部材などによって構成されており、第１封止部１２９ａ、第２封止部１２９ｂと係合後には手操作による取り外しが極めて困難な構成（強固に嵌合する構成、或いは第１封止部１２９ａ、第２封止部１２９ｂとの係止によって封止部材１２８の離脱困難な構成など）となっている。
【００４７】
図７のように、ケース部材１２０は、樹脂材料によって長手状かつ箱状に構成されており、２つのカバー部材が嵌め合わされる構成となっている。このケース部材１２０は、いずれか一方のカバー部材を開放できるように構成されており、内部にメイン基板３０を収容しつつ当該メイン基板３０をカバーする構成をなしている。また、ケース部材１２０の後面壁１２２には、複数の通気孔１２３が形成されている。
【００４８】
図６に示すように、保持部材１１０は、樹脂材料によって長手状に構成されており、ケース部材１２０に対して離間可能とされている。保持部材１１０の長手方向の一端側には、ベース部材７０に回動可能に支持される２つの回動被支持部１１６が形成されている。ベース部材７０には、回動被支持部１１６の孔内に挿入される２つの支持軸１１９が形成されており、回動被支持部１１６は、支持軸１１９を中心として回動する構成をなしている。また、長手方向における回動支持部１１６とは反対側の他端側にはベース部材７０と係合する係合ピン１１８と、ケース部材１２０と係合する係合爪１１３が形成されている。
【００４９】
図７ないし図１１に示すように、保持部材１１０とケース部材１２０のそれぞれにおいて連結部１１１ａ，１２１ａが対をなして形成されている。これら連結部１１１ａ，１２１ａは、破断ねじからなるねじ部材１４０によって互いに連結される構成をなしている。即ち、図６から図７の状態に移行させるように、ケース部材１２０を保持部材１１０に係合させ、連結部１１１ａ，１２１ａを互いに対応させた後、図７から図８の状態に移行させるように（拡大図では、図９の状態から図１０の状態へ移行させるように）、破断ねじ１４０をねじ込むことにより保持部材１１０とケース部材１２０が固定されるようになっている。
【００５０】
破断ねじ１４０は、図９及び図１０に示すように、工具係合部１４１と締結部１４２とが破断部１４６によって連結される構成をなしており、締結部１４２には、ねじ溝が形成されたねじ部１４４と頭部１４３とが形成されている。破断部１４６は、頭部１４３及び工具係合部１４１よりも細径とされており、締結部１４２がねじ込まれた状態で、工具係合部１４１をある程度の力を加えて回転させることにより図１１のように破断する構成をなしている。図１１のように破断した状態では、両連結部１１１ａ，１２１ａが好適に連結されると共に、破断ねじ１４０に対する工具を用いた除去操作が不能となる。初期状態では、このように結合した状態で、図４のように維持されることとなる。
【００５１】
なお、本実施形態の保持部材１１０には、上下に一対の壁部１１４ａ，１１４ｂが形成されており、保持部材１１０に基板ケース１２０を装着した際に基板ケース１２０の上下をこれら壁部１１４ａ，１１４ｂによって支持する構成をなしている。この構成では、図８のような装着時に、基板ケース１２０の上下方向の移動が壁部１１４ａ，１１４ｂによって規制されるので、上下に基板ケース１２０をスライドさせることはできず、破断ねじ１４０が装着されている状態では、基板ケース１２０の取り外しができないようになっている。基板ケース１２０は、第１ケース１２０ａが第２ケース１２０ｂに対して相対的に上下にスライドすることで開閉するようになっており、仮に封止部材１２８の封止を解除してケースを開放しようとしても、第２ケース１２０ｂが保持部材１１０に装着されている状態では、第１ケース１２０ａの移動が壁部１１４ａ、１１４ｂによって拘束されるため、第１ケース１２０ａを第２ケース１２０ｂに対して相対的にスライドできないようになっている。従って、基板ケース１２０を開放するには、封止部材１２８による封止を解除するだけでは足りず、破断ねじ１４０による連結を解除しなければならない。従って、基板ケース１２０の開放に対して２重の防止機能が施されている。
【００５２】
一方、メンテナンス時には、ケース部材１２０を保持部材１１０から取り外して開放する必要が生じるため、その際には、両連結部１１１ａ，１２１ａの少なくともいずれかを破断することによってねじ１４０を除去できるようになっている。即ち、両連結部１１１ａ，１２１ａは、それぞれ一部が破断するように構成されており、破断除去可能とされている。より具体的には、連結部１１１ａに沿って上下一対の切欠き部が形成されており（図１１では、上方の切欠き部１７０のみ図示）、連結部１１１ａを破断させやすくなっている。このように構成されることで、メンテナンス時には、両連結部１１１ａ，１２１ａを破断させ除去することにより、ケース部材１２０を離脱及び開放でき、その際には、破断した痕跡が残存することとなる。
【００５３】
また、図４ないし図１１に示すように、保持部材１１０とケース部材１２０には、破断ねじからなる予備ねじ２４０（予備ねじ２４０は予備連結部材の一例に相当する）によって互いに連結可能となるように予備連結部１１１ｂ，１１１ｃ，１１１ｄ及び１２１ｂ，１２１ｃ，１２１ｄが形成されている。連結部１１１ｂは、連結部１２１ｂと対応し、同様に、連結部１１１ｃは、連結部１２１ｃと対応し、連結部１１１ｄは、連結部１２１ｄと対応し、それぞれが後述する予備ねじ２４０によって固定可能とされている。なお、予備連結部１１１ｂ、１１１ｃ、１１１ｄは、連結部１１１ａと同一の構成をなしており、予備連結部１２１ｂ、１２１ｃ、１２１ｄは、連結部１２１ａと同一の構成をなしている。予備連結部１１１ｂ、１１１ｃ、１１１ｄは、破断容易な構成となっており、これら予備連結部１１１ｂ、１１１ｃ、１１１ｄが予備ねじ２４０によって予備連結部１２１ｂ，１２１ｃ，１２１ｄに連結された場合には、これら予備連結部１１１ｂ、１１１ｃ、１１１ｄを破断させることにより予備ねじ２４０による連結が解除可能となるように構成されている。
【００５４】
一方、図１２ないし図１７に示すように、保持部材１１０には、予備ねじ２４０を引き抜き可能となるように保持する仮保持部１３０が設けられている。
【００５５】
図４、図１２、図１３に示すように、保持部材１１０は、遊技盤７側に取り付けられるベース部材７０に対して開閉可能に構成されており、仮保持部１３０は、この保持部材１１０において閉塞時にベース部材７０と対向する対向壁面１１５に形成されている。なお、図４は、保持部材１１０が閉塞した状態を示しており、図１２、図１３は開放した状態を示している。
【００５６】
図１３、図１６に示すように、保持部材１１０の仮保持部１３０は、ベース部材７０の外面から所定距離隔てて配されており、予備ねじ２４０は、ねじ部２４４をベース部材７０の外面側に延出させた状態で仮保持されている。
【００５７】
また、図１６、図１７に示すように、予備ねじ２４０は、ねじ部材１４０と同一種類の破断ねじによって構成されるものであり、一端側に工具係合部２４１が形成されると共に、他端側にねじ溝が形成された締結部２４２が設けられ、工具係合部２４１と締結部２４２とが、それらよりも細径の破断部２４６によって連結されている。
【００５８】
図１６、図１７に示すように、仮保持部１３０は、保持部材１１０の対向壁面１１５に形成された孔部１５７と、保持部材１１０の対向壁面１１５において孔部１５７の中心側に向かって片持ち状に形成される複数の弾性片１５０とを備えており、複数の弾性片１５０と予備ねじ２４０とを係合させることにより当該予備ねじ２４０を仮保持するようにしている。
【００５９】
複数の弾性片１５０は、先端が工具係合部２４１と締結部２４２との間に介在して破断部２４６と対向して配置され、各予備ねじ２４０とを係合している。
【００６０】
また、図１６ないし図１８に示すように、仮保持部１３０には、工具係合部２４１の外周面２４１ａと対向して配置され、この工具係合部２４１の外周面２４１ａを支持可能な第１ガイド壁１５３と、締結部の頭部２４３の外周面２４３ａと対向して配置され、頭部の外周面２４３ａを支持可能な第２ガイド壁１５５とを有している。
【００６１】
さらに、図１６、図１７に示すように、第１ガイド壁１５３は、所定方向に突出するリブ状に形成され、かつその突出方向と交差する向きに折れ曲がって形成され、その折れ曲がった角部１５３ａが工具係合部の外周面２４１ａと対向して配されている。また、図１６に示すように、複数の第１ガイド壁１５３が、工具係合部２４１よりも突出する形態で、かつ当該工具係合部２４１を囲むように設けられている。このように、複数の第１ガイド壁１５３が工具係合部２４１よりも突出して構成されているため、基板ケース１２０側から極めて取り外しにくい構成となっている（例えば、ペンチなどによって取り外しにくい構成となっている）。また、各角部１５３ａにおける予備ねじ２４０と対向する対向面は平坦面となっており、予備ねじ２４０が揺動しても適切に支持でき、傾きを好適に防止できるようになっている。即ち、各予備ねじ２４０は、各角部１５３ａに形成された３つの平坦面により傾斜が適切に防止されるようになっている。
【００６２】
また、仮保持部１３０は、予備ねじ２４０をベース部材７０側及びケース部材１２０側の両方に引き抜き可能に保持しており、作業の利便性が確保されている。
【００６３】
以上のように、本実施形態の構成によれば、第１連結部１１１ａ及び第２連結部１２１ａが破断除去可能とされているため、点検作業等の必要時にねじ部材による固定を解除してケース内を開放でき、かつその開放した痕跡が残るようになる。また、再び閉塞する際には、予備ねじ２４０にアクセスしやすく、かつ予備ねじ２４０を予備連結部に固定しさえすれば容易に閉塞状態とすることができる。即ち、正規なメンテナンスが行いやすく、かつ防犯性に優れた基板ケースユニットを実現できることとなる。
【００６４】
また、ケース部材１２０が、ベース部材７０に対して開閉可能に構成されており、仮保持部１３０が、ケース部材１２０において閉塞時にベース部材７０と対向する対向壁面１１５に形成されているため、通常時（即ちケース部材１２０が閉塞される閉塞時）に仮保持部１３０及び予備ねじ２４０が邪魔になることがなく、予備ねじ２４０を用いた閉塞作業をする際にはケース部材１２０を開閉することにより仮保持部１３０に容易にアクセスできるようになる。
【００６５】
さらに、ケース部材１２０の仮保持部１３０は、ベース部材の外面から所定距離隔てて配されるため、仮保持部１３０とベース部材の外面との間に予備ねじ２４０のねじ部を配置するスペースが形成される。そして、予備ねじ２４０はねじ部２４４をベース部材７０の外面側に延出させた状態で仮保持されているため、ケース部材１２０を開放した後、予備ねじ２４０を掴みやすくなり、作業性が高まる。
【００６６】
また、仮保持部１３０は、保持部材１１０の壁面に形成された孔部と、保持部材１１０の壁面において孔部の中心側に向かって片持ち状に形成される複数の弾性片１５０とを備えており、複数の弾性片１５０と予備ねじ２４０とを係合させることにより当該予備ねじ２４０を仮保持するようにしている。従って、保持部材１１０の壁面の一部によって予備ねじ２４０を保持する構成が好適に実現され、装置構成の簡易化、コスト低減が効果的に図られている。
【００６７】
予備ねじ２４０が破断ねじによって構成され、仮保持部１３０は、先端が工具係合部２４１と締結部との間に介在して破断部２４６と対向して配置される複数の弾性片１５０によって構成されている。従って、予備ねじ２４０を安定的に仮保持しつつ適度な力によって仮保持を解除できる好適例となる。
【００６８】
仮保持部１３０において、工具係合部２４１の外周面２４１ａを支持可能な第１ガイド壁１５３と、締結部２４２の頭部２４３の外周面２４３ａを支持可能な第２ガイド壁１５５とが設けられている。従って、予備ねじ２４０の揺動を軽減ないし防止でき、揺動に起因する不具合（予備ねじ２４０の離脱など）を効果的に防止できる。
【００６９】
本実施形態では、  第１連結部１１１ａと第２連結部１２１ｂの連結を破断によって解除しなければケース部材１２０を取り外せないようになっている。また、１ケース１２０ａ側に設けられる第１封止部１２９ａと、第２ケース１２０ｂ側に設けられる第２封止部１２９ｂとが封止部材１２８によって封止され、ケース部材１２０を破壊するか或いは所定の部位（封止部材１２８近傍の部位）を破断しなければケース部材１２０の内部にアクセスできないようになっている。従って、二重の防犯機能を有し、制御基板にアクセスすることは極めて困難となっている。
【００７０】
また、本実施形態では、仮保持部１３０が、第１の仮保持部１３１、第２の仮保持部１３２、第３の仮保持部１３３によって構成されており、第１の仮保持部１３１と第２の仮保持部１３２とが並んで配置されており、その並び方向と直交する方向（即ち上下方向）において、第１の仮保持部１３１の弾性片１５０と第２の仮保持部１３２の弾性片１５０とが重なるように配置されている。従って、並び方向のスペースを効果的に削減できるようになっている。同様に、第２の仮保持部１３２と第３の仮保持部１３３とが並んで配置されており（より詳しくは、第１の仮保持部１３１、第２の仮保持部１３２、第３の仮保持部１３３が横並びで配置されており）、その並び方向と直交する方向（即ち上下方向）において、第２の仮保持部１３１の弾性片１５０と第３の仮保持部１３２の弾性片１５０とが重なるように配置されている。
【００７１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７２】
（１）上記実施形態では、連結部材を破断ねじによって構成したが、ワンウェイねじによって連結部材を構成してもよい。同様にワンウェイねじによって予備連結部材を構成してもよい。ここでいう「ワンウェイねじ」は、当該ワンウェイねじに形成される工具係合部（工具と係合し、当該工具によって操作される部分）が、締め付け方向側へ回転する場合しか工具と係合せず、取り外し方向側へ回転させる場合に工具との係合が不能となる形態をなすものをいう。
（２）上記実施形態では、予備ねじを破断ねじによって構成したが、ワンウェイねじによってねじ部材を構成してもよい。
【図面の簡単な説明】
【００７３】
【図１】実施形態１に係る遊技機を概念的に例示する正面図
【図２】図１の遊技機の遊技盤構成を概念的に例示する正面図
【図３】実施形態１に係る遊技機の電気的構成を例示するブロック図
【図４】実施形態１のパチンコ機１の裏側構成を概念的に例示する斜視図
【図５】基板ケースユニット１１０をベース部材７０に取り付ける前段階を説明する説明図
【図６】ケース部材１２０と保持部材１１０とを結合する結合前の状態を示す斜視図
【図７】ケース部材１２０と保持部材１１０を結合した状態を示す斜視図
【図８】ケース部材１２０及び保持部材１１０を結合しつつねじ部材１４０でねじ止めした状態を示す斜視図
【図９】図７の状態において要部を拡大して示す拡大図
【図１０】図８の状態において要部を拡大して示す拡大図と、連結部付近を更に拡大して示す拡大図
【図１１】ねじ部材１４０によってねじ止めした後、工具係合部１４１を破断した状態を示す斜視図
【図１２】基板ケースユニット１００をベース部材７０に対して開いた状態を示す斜視図
【図１３】図１２の状態を図１２とは異なる方向から示す斜視図
【図１４】図１３の状態から、基板ケースユニット１００を分離させた状態を概念的に示す斜視図
【図１５】図１３の状態から、予備ねじを抜き取った状態を概念的に示す斜視図
【図１６】仮保持部を拡大して示す斜視図
【図１７】仮保持部を基板ケースユニット１００側から見た図
【図１８】仮保持部を、図１６とは異なる側から拡大して示す斜視図
【符号の説明】
【００７４】
１…パチンコ機（遊技機）
３０…メイン基板（制御基板）
７０…ベース部材
１００…基板ケースユニット
１１０…保持部材
１１１ａ…第１連結部（連結部）
１１１ｂ，１１１ｃ，１１１ｃ…予備連結部
１１５…対向壁面
１２０…ケース部材
１２０ａ…第１ケース
１２０ｂ…第２ケース
１２１ａ…第２連結部（連結部）
１２１ｂ，１２１ｃ，１２１ｄ…予備連結部
１２８…封止部材
１２９ａ…第１封止部
１２９ｂ…第２封止部
１３０…仮保持部
１４０…ねじ部材（連結部材）
１５０…弾性片
１５３…第１ガイド壁
１５３ａ…角部
１５５…第２ガイド壁
２４０…予備ねじ（予備連結部材）
２４１工具係合部
２４１ａ…工具係合部の外周面
２４２…締結部
２４３…締結部の頭部
２４３ａ…締結部の頭部の外周面
２４６…破断部
【図１】
2007252802.tif 000003
【図２】
2007252802.tif 000004
【図３】
2007252802.tif 000005
【図４】
2007252802.tif 000006
【図５】
2007252802.tif 000007
【図６】
2007252802.tif 000008
【図７】
2007252802.tif 000009
【図８】
2007252802.tif 000010
【図９】
2007252802.tif 000011
【図１０】
2007252802.tif 000012
【図１１】
2007252802.tif 000013
【図１２】
2007252802.tif 000014
【図１３】
2007252802.tif 000015
【図１４】
2007252802.tif 000016
【図１５】
2007252802.tif 000017
【図１６】
2007252802.tif 000018
【図１７】
2007252802.tif 000019
【図１８】
2007252802.tif 000020